(57)【要約】【課題】情報コードの表示状態とこの情報コードに記録される所定のデータに関する情報が表示される表示状態との切り替えを切り替え用の操作を要することなく実施可能な構成を提供する。【解決手段】制御部２１により行われる表示制御処理にて、加速度センサ２６を利用して検出される画面方向Ｆが、表示画面２４ａを読取装置１の読取口２にかざしていることが想定されるコード表示角度範囲Ｓ１内であると、情報コードＣが表示画面２４ａに表示されるコード表示状態になり、コード表示角度範囲Ｓ１と異なるデータ表示角度範囲Ｓ２内であると、情報コードＣに記録された所定のデータに関する情報が表示画面２４ａに表示されるデータ表示状態になる。【選択図】図３
2019133043.tif 000002
【特許請求の範囲】
【請求項１】
所定のデータが記録される情報コードを表示画面に表示可能な表示部と、
前記表示部による表示内容を制御する表示制御処理を行う表示制御部と、
前記表示画面が向いている画面方向を検出する画面方向検出部と、
を備え、
前記表示制御部は、前記表示制御処理を行うことで、前記画面方向検出部により検出される前記画面方向が、前記表示画面を読取装置にかざしていることが想定される第１の角度範囲内であると、前記情報コードを前記表示画面に表示し、前記第１の角度範囲と異なる第２の角度範囲内であると、前記所定のデータに関する情報を前記表示画面に表示することを特徴とする携帯型情報コード表示装置。
【請求項２】
外部操作可能な操作部を備え、
前記第２の角度範囲は、前記操作部に対して所定の操作がなされたときに前記画面方向検出部にて検出される前記画面方向を基準に設定されることを特徴とする請求項１に記載の携帯型情報コード表示装置。
【請求項３】
前記第２の角度範囲は、前記操作部に対する前記所定の操作として前記表示制御処理を開始するための操作がなされたときに前記画面方向検出部にて検出される前記画面方向を基準に設定されることを特徴とする請求項２に記載の携帯型情報コード表示装置。
【請求項４】
前記第２の角度範囲は、前記表示制御処理が開始された後、前記操作部に対して何らかの操作がなされるごとに前記画面方向検出部にて検出される前記画面方向を基準に設定されることを特徴とする請求項２に記載の携帯型情報コード表示装置。
【請求項５】
前記第１の角度範囲は、前記画面方向が下向きとみなされる範囲に設定され、
前記第２の角度範囲は、前記画面方向が上向きとみなされる範囲に設定されることを特徴とする請求項１に記載の携帯型情報コード表示装置。
【請求項６】
現在時刻を取得する時計部を備え、
前記所定のデータには所定の時刻に関する情報が含まれ、
前記表示制御部は、前記表示制御処理を行うことで、前記画面方向検出部により検出される前記画面方向が前記第２の角度範囲内であると、前記時計部により取得された現在時刻と前記所定の時刻との差に関する情報を含めるように前記所定のデータに関する情報を前記表示画面に表示することを特徴とする請求項１〜５のいずれか一項に記載の携帯型情報コード表示装置。
【発明の詳細な説明】
【技術分野】
【０００１】
本発明は、携帯型情報コード表示装置に関するものである。
【背景技術】
【０００２】
近年では、情報コードの用途が益々広がっており、紙などの媒体だけでなく、タブレット端末やスマートフォンなどの携帯端末に情報コードを表示して別の読取装置に読み取らせるような使われ方もなされている。なお、表示装置に情報コードを表示して使用する技術としては、例えば特許文献１のような技術が提案されている。
【先行技術文献】
【特許文献】
【０００３】
【特許文献１】特開２００９−２７１５５３号公報
【発明の概要】
【発明が解決しようとする課題】
【０００４】
ところで、ユーザは、読取装置に読み取らせるための情報コードを表示画面に表示した後、その情報コードに記録されたデータ等を確認したい場合がある。例えば、情報コードを利用した搭乗手続きを採用している空港などである。ユーザは飛行機の搭乗待ちの時、アプリを起動させ搭乗手続き用の情報コードを表示させているが、ユーザが並んでいる搭乗口が正しい搭乗口か予定便の番号を確認するような場合が想定される。しかしながら、単に情報コードが表示されている表示状態では、一見しただけではその情報コードにどのようなデータが記録されているか視認することができない。そのために、情報コードとともにその情報コードに記録されたデータ等を同時に画面表示すると、情報コードの表示が小さくなるために、小さな表示画面に表示された情報コードでは読取装置に読み取らせ難くなる場合がある。このため、情報コードに記録されたデータを確認するための操作を行うことでそのデータ等を確認することもできるが、再度その情報コードを表示させるための操作を行う必要があり、ユーザによって利便性が悪いという問題がある。
【０００５】
本発明は、上述した課題を解決するためになされたものであり、その目的とするところは、情報コードの表示状態とこの情報コードに記録される所定のデータに関する情報が表示される表示状態との切り替えを切り替え用の操作を要することなく実施可能な構成を提供することにある。
【課題を解決するための手段】
【０００６】
上記目的を達成するため、特許請求の範囲の請求項１に記載の発明は、
所定のデータが記録される情報コード（Ｃ）を表示画面（２４ａ）に表示可能な表示部（２４）と、
前記表示部による表示内容を制御する表示制御処理を行う表示制御部（２１）と、
前記表示画面が向いている画面方向（Ｆ）を検出する画面方向検出部（２６）と、
を備え、
前記表示制御部は、前記表示制御処理を行うことで、前記画面方向検出部により検出される前記画面方向が、前記表示画面を読取装置にかざしていることが想定される第１の角度範囲（Ｓ１）内であると、前記情報コードを前記表示画面に表示し、前記第１の角度範囲と異なる第２の角度範囲（Ｓ２）内であると、前記所定のデータに関する情報を前記表示画面に表示することを特徴とする。
なお、上記各括弧内の符号は、後述する実施形態に記載の具体的手段との対応関係を示すものである。
【発明の効果】
【０００７】
請求項１の発明では、表示制御部により行われる表示制御処理にて、画面方向検出部により検出される画面方向が、表示画面を読取装置にかざしていることが想定される第１の角度範囲内であると、情報コードが表示画面に表示される状態になり、第１の角度範囲と異なる第２の角度範囲内であると、所定のデータに関する情報が表示画面に表示される状態になる。
【０００８】
これにより、ユーザが把持している携帯型情報コード表示装置の表示画面を読取装置にかざした場合には、情報コードが表示画面に表示される状態（以下、コード表示状態ともいう）になり、表示した情報コードを読取装置に読み取らせることができる。一方、ユーザが表示画面を読取装置にかざした状態に対して逆向きとなる自分に向けた場合には、所定のデータに関する情報が表示画面に表示される状態（以下、データ表示状態ともいう）になり、ユーザは表示した所定のデータに関する情報を視認することができる。すなわち、携帯型情報コード表示装置の傾きを変化させるようにして画面方向を変えるだけでコード表示状態とデータ表示状態とを切り替えることができる。したがって、コード表示状態とデータ表示状態との切り替えを切り替え用の操作を要することなく実施することができる。
【０００９】
請求項２の発明では、外部操作可能な操作部を備え、第２の角度範囲は、操作部に対して所定の操作がなされたときに画面方向検出部にて検出される画面方向を基準に設定される。操作部に対して所定の操作がなされていると、ユーザが表示画面を自分に向けて操作している状態が想定されるので、この所定の操作時に検出される画面方向を基準に第２の角度範囲を設定することで、その使用環境にあわせるように第２の角度範囲を設定することができる。
【００１０】
請求項３の発明では、第２の角度範囲は、操作部に対する所定の操作として表示制御処理を開始するための操作がなされたときに画面方向検出部にて検出される画面方向を基準に設定される。表示制御処理を開始するための操作がなされたときは、ユーザが表示画面を自分に向けて操作している可能性がより高まるので、この操作時に検出される画面方向を基準に第２の角度範囲を設定することで、第２の角度範囲を精度よく設定することができる。
【００１１】
請求項４の発明では、第２の角度範囲は、表示制御処理が開始された後、操作部に対して何らかの操作がなされるごとに画面方向検出部にて検出される画面方向を基準に設定される。このように、操作がなされるごとに第２の角度範囲が設定されることで、ユーザが表示画面を見る際の画面方向が変わりやすい状況で使用される場合でも、その状況に応じて適切に第２の角度範囲を設定することができる。
【００１２】
請求項５の発明では、第１の角度範囲は、画面方向が下向きとみなされる範囲に設定され、第２の角度範囲は、画面方向が上向きとみなされる範囲に設定される。通常、読取装置はその読取口を上方に向けた状態で載置されることから、画面方向が下向きでは画面表示した情報コードを読取装置にかざしている可能性が高く、画面方向が上向きではユーザが表示画面を見ている可能性が高いと想定できる。このため、予め第１の角度範囲及び第２の角度範囲を設定する場合でも、画面方向が下向きとみなされる範囲に第１の角度範囲を設定し、画面方向が上向きとみなされる範囲に第２の角度範囲を設定することで、実状に応じた角度範囲の設定を行うことができる。
【００１３】
請求項６の発明では、表示制御部により行われる表示制御処理にて、画面方向検出部により検出される画面方向が前記第２の角度範囲内であると、時計部により取得された現在時刻と所定のデータに含まれる所定の時刻との差に関する情報を含めるように所定のデータに関する情報が表示画面に表示される。
【００１４】
これにより、例えば、開始時刻や座席番号等が所定のデータとして記録される情報コードを画面表示して入場ゲートに設置される読取装置にかざすような状況では、表示画面を読取装置の読取口にかざすことで画面方向が第１の角度範囲内であると判断されると、画面表示された情報コードが読取装置に読み取られて入場が許可される。一方、表示画面を自分に向けることで画面方向が第２の角度範囲内であると判断されると、開始時刻や座席番号だけでなく、現在時刻と所定の時刻との差に関する情報として、現在時刻を規準に開始時刻までの残り時間をも画面表示することができる。すなわち、情報コードに記録される所定のデータに関する情報だけでなく、他の情報をもあわせて画面表示することができる。
【図面の簡単な説明】
【００１５】
【図１】本発明の第１実施形態に係る携帯端末を概略的に示す斜視図である。
【図２】図１の携帯端末の電気的構成を概略的に示すブロック図である。
【図３】図３（Ａ）は、携帯端末の表示画面を読取装置にかざしている状態を説明する説明図であり、図３（Ｂ）は、携帯端末の表示画面をユーザが見ている状態を説明する説明図である。
【図４】図４（Ａ）は、情報コードが携帯端末の表示画面に表示されるコード表示状態を説明する説明図であり、図４（Ｂ）は、情報コードに記録される所定のデータに関する情報が携帯端末の表示画面に表示されるデータ表示状態を説明する説明図である。
【図５】第１実施形態において携帯端末にて実行される表示制御処理の流れを例示するフローチャートである。
【図６】第１実施形態の変形例におけるデータ表示状態を説明する説明図である。
【図７】第２実施形態において携帯端末にて実行される表示制御処理の流れを例示するフローチャートである。
【図８】第２実施形態の変形例において携帯端末にて実行される表示制御処理の流れを例示するフローチャートである。
【発明を実施するための形態】
【００１６】
［第１実施形態］
以下、本発明の第１実施形態に係る携帯型情報コード表示装置を適用した携帯端末について、図面を参照して説明する。
図１及び図２に示す携帯端末１０は、読取装置１に読み取らせる情報コードＣを表示可能な携帯型情報コード表示装置であり、例えば、所定のアプリケーションプログラムがインストールされた携帯電話（スマートフォン）により構成することができる。図１に示すように、携帯端末１０は、片手により把持可能であって、表示画面２４ａが設けられる前面１１ａとこの前面１１ａに略平行な後面１１ｂとの距離（厚さ）が小さい薄箱状のケース１１により外郭が構成されている。
【００１７】
この携帯端末１０は、主に、図２に示すように、制御部２１、記憶部２２、撮像部２３、表示部２４、操作部２５、加速度センサ２６、時計部２７、通信部２８などを備えている。制御部２１は、携帯端末１０を全体的に制御可能なマイコンなどによって構成され、ＣＰＵ、システムバス、入出力インタフェース等からなり、情報処理機能を有している。この制御部２１には、内蔵された入出力インタフェースを介して種々の入出力装置（周辺装置）が接続されており、本構成の場合、記憶部２２、撮像部２３、表示部２４、操作部２５、加速度センサ２６、時計部２７、通信部２８等が接続されている。なお、制御部２１は、表示制御部の一例に相当し、表示部２４でなされる表示を制御可能に構成されている。
【００１８】
記憶部２２は、例えば半導体メモリ装置などの公知の記憶装置によって構成されており、例えばＲＡＭ、ＲＯＭ、その他の不揮発性メモリなどがこれに相当する。この記憶部２２には、読取装置１に読み取らせる情報コードＣやその情報コードＣに記録される所定のデータ等が予め記憶可能であって、情報コードＣを画面表示する際になされる表示制御処理を実行するためのアプリケーションプログラム等が制御部２１により実行可能に予め格納されている。
【００１９】
撮像部２３は、受光センサ（例えば、Ｃ−ＭＯＳエリアセンサ、ＣＣＤエリアセンサ等）を備えた公知のカメラとして構成され、制御部２１により制御されて撮像される画像信号を制御部２１に出力するように構成されている。表示部２４は、公知の液晶ディスプレイ（ＬＣＤ）等からなる表示画面２４ａを備えるように構成されており、制御部２１による制御に応じて表示画面２４ａの表示内容が制御されるようになっている。操作部２５は、サイドキーなどの操作スイッチ、或いはタッチパネル等により外部操作可能に構成され、その操作に応じた操作信号を制御部２１に出力するように構成されている。
【００２０】
加速度センサ２６は、３軸方向の加速度を検出可能な公知の３軸加速度センサ（３軸モーションセンサ）であって、Ｘ軸方向、Ｙ軸方向およびＺ軸方向のそれぞれの方向の加速度を検出し、この検出結果に応じた加速度信号を制御部２１に出力するように構成されている。この加速度センサ２６により、３軸方向（Ｘ軸方向、Ｙ軸方向，Ｚ軸方向）の加速度が検出されることで、当該携帯端末１０の３軸方向に関する位置や表示画面２４ａが向いている方向（画面方向Ｆ：図３参照）を検出（算出）することができる。なお、画面方向Ｆを検出する加速度センサ２６は、「画面方向検出部」の一例に相当し得る。
【００２１】
時計部２７は、公知の方式により現在時刻を取得し、所定の時点（例えば、操作部２５を操作した時点）からの経過時間等を計測可能に構成されている。通信部２８は、例えば公知の通信方式（無線ＬＡＮ通信、赤外線通信、ブルートゥース（登録商標）通信など）によって外部装置と通信を行うように構成されている。
【００２２】
次に、本実施形態の特徴的構成について説明する。
ユーザによっては、サービス提供者等から予め取得した情報コードＣ及びその情報コードＣに記録される所定のデータ等が予め記憶部２２に記憶されている状態において、読取装置１に読み取らせるために情報コードＣを表示画面２４ａに表示した後に、その情報コードＣに記録されたデータ等を確認したい場合がある。
【００２３】
そこで、本実施形態では、制御部２１にて実行される表示制御処理により、図３（Ａ）に示すように表示画面２４ａを読取装置１にかざしていることが想定される画面方向Ｆが検出される場合には、その表示画面２４ａに情報コードＣを画面表示する。このため、本実施形態では、検出される画面方向Ｆが情報コードＣを画面表示すべき角度範囲（以下、コード表示角度範囲Ｓ１ともいう）内であるか否かについて判定する。すなわち、コード表示角度範囲Ｓ１は、表示画面２４ａを読取装置１にかざしていることが想定される角度範囲に応じて設定されるもので、本実施形態では、読取装置１の上面に読取口２が設けられることから、画面方向Ｆが下向きとみなされる範囲に設定される。具体的には、コード表示角度範囲Ｓ１は、図３（Ａ）に例示するように、水平面に直交する平面において水平面に対する表示画面２４ａの画面方向Ｆの角度が、例えば、３０°以上１５０°以下となる範囲に設定されている。
【００２４】
そして、図３（Ｂ）に示すように表示画面２４ａをユーザが見ていることが想定される画面方向Ｆが検出される場合、具体的には、画面方向Ｆがコード表示角度範囲Ｓ１と異なる範囲（以下、データ表示角度範囲Ｓ２ともいう）では、その表示画面２４ａに情報コードＣに記録される所定のデータの少なくとも一部を画面表示する。なお、コード表示角度範囲Ｓ１は、「第１の角度範囲」の一例に相当し、データ表示角度範囲Ｓ２は、「第２の角度範囲」の一例に相当し得る。
【００２５】
すなわち、携帯端末１０の傾きを変化させるようにして画面方向Ｆを変えるだけで、図４（Ａ）に示すように情報コードＣが表示画面２４ａに表示される状態（コード表示状態）と、図４（Ｂ）に示すようにその情報コードＣに記録される所定のデータに関する情報が表示画面に表示される状態（データ表示状態）とを、所定の操作を要することなく自動的に切り替える。なお、図４（Ｂ）では、情報コードＣに所定のデータとして開始時刻及び座席番号が記録される場合のデータ表示状態を例示している。
【００２６】
以下、本実施形態において、上面に読取口２が設けられる読取装置１に対して情報コードＣを読み取らせる際に、携帯端末１０の制御部２１にて実行される上記表示制御処理について、図５に示すフローチャートを用いて説明する。なお、以下の説明では、「○○コンサート」の入場チケットとして利用される情報コードＣと、この情報コードＣに所定のデータとして記録される「○○コンサート」の開始時刻及び座席番号とが予め取得されて、記憶部２２に記録されている場合について詳述する。
【００２７】
携帯端末１０の操作部２５に対して所定の操作がなされることで制御部２１にて表示制御処理が開始されると、まず、図５のステップＳ１０１に示す画面方向検出処理がなされ、加速度センサ２６の検出結果を利用して画面方向Ｆが検出される。続いて、ステップＳ１０３の判定処理がなされ、検出される画面方向Ｆが上記コード表示角度範囲Ｓ１内であるか否かについて判定される。ここで、表示制御処理の開始直後であり、検出される画面方向Ｆが上記コード表示角度範囲Ｓ１でなくデータ表示角度範囲Ｓ２内であると（Ｓ１０３でＮｏ）、図４（Ｂ）に示すようにデータ表示状態となり、開始時刻及び座席番号が表示画面２４ａに表示される（Ｓ１０５）。このデータ表示状態では、例えば、「表示画面を読取装置にかざしてください」等の情報もあわせて表示することができる。そして、検出される画面方向Ｆが上記コード表示角度範囲Ｓ１内になるまで、上記ステップＳ１０３にてＮｏとの判定が繰り返されて、所定の終了操作がなされるまで（Ｓ１０９でＮｏ）、データ表示状態が維持される。
【００２８】
一方、ユーザが表示画面２４ａを読取装置１の読取口２にかざすことにより、検出される画面方向Ｆが上記コード表示角度範囲Ｓ１内になると、上記ステップＳ１０３にてＹｅｓと判定されて、図４（Ａ）に示すようにコード表示状態となり、情報コードＣが表示画面２４ａに表示される（Ｓ１０７）。そして、検出される画面方向Ｆが上記データ表示角度範囲Ｓ２内になるまで、上記ステップＳ１０３にてＹｅｓとの判定が繰り返されて、所定の終了操作がなされるまで（Ｓ１０９でＮｏ）、コード表示状態が維持される。
【００２９】
そして、このように情報コードＣを画面表示した後に、その情報コードＣに記録されたデータ等を確認したいユーザにより、表示画面２４ａがユーザ自身に向けられると、検出される画面方向Ｆがデータ表示角度範囲Ｓ２内となり（Ｓ１０３でＮｏ）、開始時刻及び座席番号が表示画面２４ａに表示される（Ｓ１０５）。
【００３０】
以上説明したように、本実施形態に係る携帯端末１０では、制御部２１により行われる表示制御処理にて、加速度センサ２６を利用して検出される画面方向Ｆが、表示画面２４ａを読取装置１の読取口２にかざしていることが想定されるコード表示角度範囲Ｓ１内であると、情報コードＣが表示画面２４ａに表示されるコード表示状態になり、コード表示角度範囲Ｓ１と異なるデータ表示角度範囲Ｓ２内であると、情報コードＣに記録された所定のデータに関する情報が表示画面２４ａに表示されるデータ表示状態になる。
【００３１】
これにより、ユーザが把持している携帯端末１０の表示画面２４ａを読取装置１の読取口２にかざした場合には、情報コードＣが表示画面２４ａに表示されるコード表示状態になり、表示した情報コードＣを読取装置１に読み取らせることができる。一方、ユーザが表示画面２４ａを読取口２にかざした状態に対して逆向きとなる自分に向けた場合には、所定のデータに関する情報が表示画面２４ａに表示されるデータ表示状態になり、ユーザは表示した所定のデータに関する情報を視認することができる。すなわち、携帯端末１０の傾きを変化させるようにして画面方向Ｆを変えるだけでコード表示状態とデータ表示状態とを切り替えることができる。したがって、コード表示状態とデータ表示状態との切り替えを切り替え用の操作を要することなく実施することができる。
【００３２】
特に、コード表示角度範囲Ｓ１は、画面方向Ｆが下向きとみなされる範囲に設定され、データ表示角度範囲Ｓ２は、画面方向Ｆが上向きとみなされる範囲に設定される。通常、読取装置１はその読取口２を上方に向けた状態で載置されることから、画面方向Ｆが下向きでは画面表示した情報コードＣを読取装置１にかざしている可能性が高く、画面方向Ｆが上向きではユーザが表示画面２４ａを見ている可能性が高いと想定できる。このため、予めコード表示角度範囲Ｓ１及びデータ表示角度範囲Ｓ２を設定する場合でも、画面方向Ｆが下向きとみなされる範囲にコード表示角度範囲Ｓ１を設定し、画面方向Ｆが上向きとみなされる範囲にデータ表示角度範囲Ｓ２を設定することで、実状に応じた角度範囲の設定を行うことができる。
【００３３】
なお、コード表示角度範囲Ｓ１は、画面方向Ｆが下向きとみなされる範囲に設定されることに限らず、読取装置１の読取口２が上向きと異なる方向となっている場合には、その読取口２の向きに応じて予め設定されてもよい。この場合には、設定されたコード表示角度範囲Ｓ１を考慮してデータ表示角度範囲Ｓ２も設定することができる。
【００３４】
本実施形態の変形例として、データ表示状態では、時計部２７により取得された現在時刻と所定のデータに含まれる所定の時刻との差に関する情報を含めるように所定のデータに関する情報が表示画面２４ａに表示されてもよい。具体的には、図６に例示するように、開始時刻が「１０：００」であり現在時刻が「９：１５」として取得される場合には、「開始時刻まで４５分」として、残りの時間が表示画面２４ａに表示される。
【００３５】
これにより、例えば、開始時刻や座席番号等が所定のデータとして記録される情報コードＣを画面表示して入場ゲートに設置される読取装置１にかざすような状況では、表示画面を読取装置１の読取口にかざすことで画面方向Ｆがコード表示角度範囲Ｓ１内であると判断されると、画面表示された情報コードＣが読取装置１に読み取られて入場が許可される。一方、表示画面を自分に向けることで画面方向Ｆがデータ表示角度範囲Ｓ２内であると判断されると、開始時刻や座席番号だけでなく、現在時刻と所定の時刻との差に関する情報として、現在時刻を規準に開始時刻までの残り時間をも画面表示することができる。すなわち、情報コードＣに記録される所定のデータに関する情報だけでなく、他の情報をもあわせて画面表示することができる。なお、あわせて表示される他の情報は、残り時間に限らず、現在時刻を規準に求められる他の時間に関する情報であってもよいし、例えば、情報コードＣの表示にあわせて外部から取得した情報であってもよい。
【００３６】
［第２実施形態］
次に、本発明の第２実施形態に係る携帯型情報コード表示装置を適用した携帯端末について、図面を参照して説明する。
本第２実施形態に係る携帯端末１０は、操作部に対して所定の操作がなされたときに検出される画面方向Ｆを基準にデータ表示角度範囲Ｓ２が設定される点が、上記第１実施形態に係る携帯型情報コード表示装置と異なる。したがって、第１実施形態の携帯型情報コード表示装置と実質的に同一の構成部分には、同一符号を付し、その説明を省略する。
【００３７】
以下、本実施形態において、上面に読取口２が設けられる読取装置１に対して情報コードＣを読み取らせる際に、携帯端末１０の制御部２１にて実行される上記表示制御処理について、図７に示すフローチャートを用いて説明する。
【００３８】
携帯端末１０の操作部２５に対して所定の操作がなされることで制御部２１にて表示制御処理が開始されると、まず、図７のステップＳ２０１に示すデータ表示角度範囲設定処理がなされる。この処理では、現時点で検出された画面方向Ｆ、すなわち、表示制御処理が開始された直後に検出された画面方向Ｆを規準にデータ表示角度範囲Ｓ２が設定される。具体的には、例えば、表示制御処理が開始された直後に検出された画面方向Ｆに対して水平面を規準に±９０°となるようにデータ表示角度範囲Ｓ２が設定される。このデータ表示角度範囲Ｓ２の設定時に、データ表示角度範囲Ｓ２と異なる範囲となるようにコード表示角度範囲Ｓ１が設定される。
【００３９】
続いて、画面方向Ｆが検出されて（Ｓ１０１）、この検出される画面方向Ｆが上記コード表示角度範囲Ｓ１内であるか否かについて判定される。ここで、検出される画面方向Ｆが上述のように設定されたデータ表示角度範囲Ｓ２内であると（Ｓ１０３でＮｏ）、図４（Ｂ）に示すようにデータ表示状態となり、開始時刻及び座席番号が表示画面２４ａに表示される（Ｓ１０５）。
【００４０】
一方、ユーザが表示画面２４ａを読取装置１の読取口２にかざすことにより、検出される画面方向Ｆが上述のように設定されるコード表示角度範囲Ｓ１内になると、上記ステップＳ１０３にてＹｅｓと判定されて、図４（Ａ）に示すようにコード表示状態となり、情報コードＣが表示画面２４ａに表示される（Ｓ１０７）。そして、このように情報コードＣを画面表示した後に、その情報コードＣに記録されたデータ等を確認したいユーザにより、表示画面２４ａがユーザ自身に向けられると、検出される画面方向Ｆがデータ表示角度範囲Ｓ２内となり（Ｓ１０３でＮｏ）、開始時刻及び座席番号が表示画面２４ａに表示される（Ｓ１０５）。
【００４１】
以上説明したように、本実施形態に係る携帯端末１０では、データ表示角度範囲Ｓ２は、操作部２５に対する所定の操作として表示制御処理を開始するための操作がなされたときに加速度センサ２６を利用して検出される画面方向Ｆを基準に設定される。表示制御処理を開始するための操作がなされたときは、ユーザが表示画面２４ａを自分に向けて操作している可能性がより高まるので、この操作時に検出される画面方向Ｆを基準にデータ表示角度範囲Ｓ２を設定することで、データ表示角度範囲Ｓ２を精度よく設定することができる。
【００４２】
なお、データ表示角度範囲Ｓ２は、操作部２５に対する所定の操作として、表示制御処理を開始するための操作がなされたときに、加速度センサ２６を利用して検出される画面方向Ｆを基準に設定されることに限らず、操作部２５に対して何らかの操作又は予め設定される操作又がなされたときに、加速度センサ２６を利用して検出される画面方向Ｆを基準に設定されてもよい。このように、操作部２５に対して所定の操作がなされていると、ユーザが表示画面２４ａを自分に向けて操作している状態が想定されるので、この所定の操作時に検出される画面方向Ｆを基準にデータ表示角度範囲Ｓ２を設定することで、その使用環境にあわせるようにデータ表示角度範囲Ｓ２を設定することができる。
【００４３】
例えば、データ表示角度範囲Ｓ２は、表示制御処理が開始された後、操作部２５に対して何らかの操作がなされるごとに加速度センサ２６を利用して検出される画面方向Ｆを基準に設定されてもよい。具体的には、図８に示すフローチャートのように、データ表示状態（図８のＳ１０５）又はコード表示状態（Ｓ１０７）となった後、操作部２５に対して終了操作と異なる何らかの操作がなされると（Ｓ２０３でＹｅｓ）、上記ステップＳ２０１の処理がなされて、現時点で検出された画面方向Ｆを規準にデータ表示角度範囲Ｓ２が設定される。
【００４４】
このように、操作がなされるごとにデータ表示角度範囲Ｓ２が設定されることで、ユーザが表示画面２４ａを見る際の画面方向Ｆが変わりやすい状況で使用される場合でも、その状況に応じて適切にデータ表示角度範囲Ｓ２を設定することができる。
【００４５】
［他の実施形態］
なお、本発明は上記実施形態に限定されるものではなく、例えば、以下のように具体化してもよい。
（１）本発明は、所定のアプリケーションプログラムがインストールされた携帯電話により構成されることに限らず、情報コードを画面表示可能であってその画面方向を検出可能な携帯端末などの携帯型情報コード表示装置に適用することができる。
【００４６】
（２）コード表示角度範囲Ｓ１及びデータ表示角度範囲Ｓ２は、画面方向Ｆの角度が常にいずれかの範囲内となるように設定されることに限らず、情報コードＣの表示やデータ等の表示が不要な画面方向Ｆの角度範囲がある場合には、その角度範囲を除くように設定されてもよい。
【００４７】
（３）画面方向Ｆは、加速度センサ２６を画面方向検出部として利用することで検出されることに限らず、例えば、地磁気センサ等の他のセンサ等を画面方向検出部として利用することで検出されてもよい。
【符号の説明】
【００４８】
１０…携帯端末（携帯型情報コード表示装置）
２１…制御部（表示制御部）
２４…表示部
２４ａ…表示画面
２５…操作部
２６…加速度センサ（画面方向検出部）
２７…時計部
Ｃ…情報コード
Ｆ…画面方向
Ｓ１…コード表示角度範囲（第１の角度範囲）
Ｓ２…データ表示角度範囲（第２の角度範囲）
【図１】
2019133043.tif 000003
【図２】
2019133043.tif 000004
【図３】
2019133043.tif 000005
【図４】
2019133043.tif 000006
【図５】
2019133043.tif 000007
【図６】
2019133043.tif 000008
【図７】
2019133043.tif 000009
【図８】
2019133043.tif 000010